(57)【要約】【課題】呼吸気漏れ、痛感、圧迫感、息苦しさ、および眼鏡の曇りが少ない簡易なマスク。【解決手段】鼻と耳に掛けられた樹脂成形のフレーム６の弾性力と、このフレーム６の鼻掛け部７の基部と側部８に設けられた支持部に掛けられた伸縮紐１２の張力で、不織布の内側フィルター２を外側の面から鼻、頬、および顎に連続的に押し当て、顔との隙間を少なくし、フィルターの面積を大きくして鼻腔と口周り、前部と左右の頬、および顎を覆う。【選択図】図１
2016093318.tif 000002
【特許請求の範囲】
【請求項１】
口と鼻腔の周りをフィルターで覆う呼吸用のマスクにおいて、
鼻から左右の頬に延長されたフレームが鼻近傍に、該フレームの左右の端部に連結された耳掛け部が耳にそれぞれ掛けられ、前記フレームの左右の側部で支持された伸縮紐が伸ばされて顎に掛けられることにより、前記フレームおよび前記伸縮紐と顔との間に配置された内側フィルターが、鼻、頬、および顎に当接され、口と鼻腔を覆う口元空間を形成することを特徴とするマスク。
【請求項２】
前記内側フィルターが、２枚の不織布の溶着による閉じられた前部と開放された後部を有する構成にされ、該後部から顔が入れられて展開された外側の面に前記フレームと前記伸縮紐が当てられることを特徴とする請求項１に記載のマスク。
【請求項３】
前記伸縮紐が、プリーツ状に形成された長方形の前記内側フィルターの外側の面において、各端辺部の中間近傍に固着されて菱形近似に配置され、上の部分が前記フレームの鼻掛け部近傍と左右の側部で支持され、下の部分が顎に掛けられることを特徴とする請求項１に記載のマスク。
【請求項４】
前記フレームと前記伸縮紐が、それぞれプリーツ状に形成された２層分離のフィルターの間に入れられ、片方の前記内側フィルターに当てられて、前記内側フィルターによる口元空間と、前記２層分離のフィルター間の予備空間が形成されることを特徴とする請求項１に記載のマスク。
【請求項５】
前記伸縮紐を移動可能に支持する鼻近傍支持部と側部支持部が、開放端を有した凹部で形成され、前記フレームの前記鼻掛け部の左右の基部近傍と左右の側部に配置されることを特徴とする請求項１から請求項４までのいずれかに記載のマスク。
【請求項６】
前記耳掛け部が、前記フレームの左右の端部に相対的に薄いヒンジ部で回動可能に連結されることを特徴とする請求項１から請求項４までのいずれかに記載のマスク。
【請求項７】
前記フレームと前記耳掛け部の全体が環状に成形され、左右の端部に連結された前記耳掛け部が並列に近接配置されることを特徴とする請求項６に記載のマスク。
【請求項８】
前記耳掛け部を固定するフック部とフック固定部が、前記ヒンジ部を介して前記耳掛け部と前記フレームの近接対向する部分に形成されることを特徴とする請求項６に記載のマスク。
【請求項９】
対向する前記耳掛け部が、一部の箇所で成形時に相対的に薄く連結されることを特徴とする請求項７に記載のマスク。
【請求項１０】
前記ヒンジ部が、前記フレームの側部から連続する内側の曲面から数ミリメートル外側に形成されることを特徴とする請求項６に記載のマスク。
【請求項１１】
切り込み部が、円弧近似に溶着された縁部の下の複数の箇所に設けられることを特徴とする請求項２に記載のマスク。
【請求項１２】
前記内側フィルターの後部に形成されたスリット状の孔が、前記フレームの端部からの後部突出部に嵌め込まれることを特徴とする請求項２に記載のマスク。
【請求項１３】
前記内側フィルターの上部に形成されたスリット状の孔が、前記フレームの前部突出部に嵌め込まれることを特徴とする請求項２に記載のマスク。
【請求項１４】
透明シートの遮蔽材が、前記フレームに配置されることを特徴とする請求項１から請求項３までのいずれかに記載のマスク。
【請求項１５】
前記２層分離のフィルターが、左右の端辺部近傍での密着と分離の繰り返し使用が可能にされることを特徴とする請求項４に記載のマスク。
【発明の詳細な説明】
【技術分野】
【０００１】
本発明は、呼吸時に用いるマスクに関するものである。
【背景技術】
【０００２】
フィルターの左右端に耳紐が設けられたマスクは、鼻当て材（ノーズクリップなどの呼称）で顔形状に馴染ませても、顔との間に隙間が生じ易い。
【０００３】
立体構成の固いフィルターを用いたＮ９５対応などのマスクは、顔形状の個人差や装着の仕方で隙間が変わり、圧迫感が大きく、息苦しい。また、少数での梱包が大きくなる。
【０００４】
特許文献１で示されるマスクでは、２層に分離された不織布で形成される空間に鼻腔と口を入れて大きいフィルター面積の構成にされるが、装着時に隙間が生じ易い。
【０００５】
従来のマスクは、一般的に耳に伸縮紐を掛けるため、耳での痛感が生じやすい。
【０００６】
従来のマスクは、鼻近傍の隙間で呼吸気による眼鏡の曇りが生じやすい。
【０００７】
また、従来のマスクは、ゴーグルを使用して飛沫や花粉などが眼に入るのを防いでいる。
【先行技術文献】
【特許文献】
【０００８】
【特許文献１】特開２０１０−１９４２０３号公報
【発明の概要】
【発明が解決しようとする課題】
【０００９】
隙間が生じにくく、同時に、息苦しさ、痛感、圧迫感の少ないマスク。
【００１０】
顔形状の個人差や装着の仕方による隙間の変化を抑制するマスク。
【００１１】
飛沫や花粉などから眼を保護する。
【００１２】
薄く梱包できる使い捨てマスク。
【課題を解決するための手段】
【００１３】
鼻と耳に掛けられたフレームと、フレームで支持された伸縮紐により、顔面にあてがわれた内側フィルターが外側の面から鼻、頬、および顎に押さえられることで、大きい面積のフィルターで隙間の少ない口元空間が形成される。
【００１４】
１の方法として、重ねられた２枚の不織布の前部が溶着で閉じられ、後部が開放された構成の内側フィルターが、フレームとフレームで支持された伸縮紐で外側の面から押さえられることで、口元空間が形成される。
【００１５】
２の方法として、プリーツ状の不織布からなる長方形の内側フィルターを用いて、各端辺部の中間近傍に固着された菱形近似の伸縮紐と、菱形近似の伸び紐の上の部分に掛けられたフレームで、展開された内側フィルターが外面の面から押さえられることで、口元空間が形成される。
【００１６】
３の方法として、２層に分離されたフィルターの内側に通されて配置されたフレームとフレームに支持された伸縮紐で、片方の内側フィルターが押さえられることで口元空間が形成され、さらに２層分離のフィルターの間にも予備空間が形成される。
【００１７】
飛沫や花粉などから眼を保護する透明フィルムがフレームに取り付けられる構成にされる。
【００１８】
平面状かつ環状に成形されたフレームと耳掛け部が、立体的に展開可能にされて、鼻近傍や耳に掛ける構成にされる。
【発明の効果】
【００１９】
隙間が生じにくく、同時に、息苦しさ、痛感、圧迫感の少ない使い捨てマスクが可能。
【００２０】
顔形状の個人差や装着の仕方による隙間の変化が生じにくいマスクが可能。
【００２１】
飛沫や花粉などが眼に入るのを簡易に防ぐことができる。
【００２２】
使用前のマスクが、フレームなどと袋に薄く梱包される。
【図面の簡単な説明】
【００２３】
【図１】本発明のマスクの実施例１を、顔に装着した状態で示す。
【図２】実施例１に用いられるフレームの構成を示す。
【図３】実施例１に用いられるフレームと弾性紐の構成を示す。
【図４】実施例１に用いられる内側フィルターを示す。
【図５】実施例１を、斜め横から観た図で示す。
【図６】実施例１のフレームに透明な遮蔽材を配置した構成を示す。
【図７】透明な遮蔽材を設けた実施例１のマスクを顔に装着した図を示す。
【図８】本発明のマスクの実施例２を、顔に装着した状態で示す。
【図９】実施例２に用いられるフレームの構成を示す。
【図１０】実施例２に用いられる内側フィルターを示す。
【図１１】実施例２を、展開と非展開での状態で示す。
【図１２】透明な遮蔽材を設けた実施例２を、顔に装着した図で示す。
【図１３】本発明のマスクの実施例３を、顔に装着した状態で示す。
【図１４】実施例３で用いられる２層分離のフィルターを、上下に展開された図で示す。
【発明を実施するための形態】
【００２４】
以下、本発明のマスクの実施形態を図で示す。異なる図において、対応する箇所は同じ符号で示される。
【実施例１】
【００２５】
図１は、本発明のマスクの実施例１を、顔に装着した状態で示す図である。
マスク１において、呼吸気を濾過する内側フィルター２は、独立した２枚の不織布が重ねられ、溶着で閉じられた円弧近似の縁部３を前部４に有して口や鼻腔周りを覆うようにされ、また、重ねられた２枚の不織布が展開される後部５を有して、鼻、口、頬、および顎が入るようにされる。
【００２６】
樹脂材で成形された弾性変形可能な眼鏡近似のフレーム６は、内側フィルター２を顔との間に挟み、外方向に凸状に突出された中央の鼻掛け部７で鼻あるいは鼻の近傍に掛けられ、左右の側部８で頬に当てられ、さらにフレーム６の左右の端部９からヒンジ部１０を介して回動可能に連結された耳掛け部１１で耳に掛けられることで、支持される。
【００２７】
伸縮紐１２は、フレーム６の鼻掛け部７の基部の左右の箇所と、フレーム６の左右の側部８で広げて支持され、さらにフレーム６の左右の側部８で曲げられて下方向に伸ばされた円弧状の部分で顎に掛けられる。
【００２８】
鼻掛け部７あるいは鼻掛け部７近傍の伸縮紐１２が鼻や鼻近傍に掛けられ、屈曲した耳掛け部１１の下方向に傾斜した部分が耳に掛けられて、顎に掛けられた伸縮紐１２の下方向の張力がフレーム６の左右の側部８に加わることで、フレーム６が、前後、左右、および上下の方向に位置決めされる。
【００２９】
弾性を有するフレーム６が鼻近傍と頬の前部と側部に当たり、さらに、フレーム６が当たらない鼻の頂部近傍と頬の前から側部、さらにフレーム６から下の頬と顎に伸縮紐１２が当たることで、比較的長く連続的に内側フィルター２が顔に押し当てられて顔との隙間が少なくされる。
【００３０】
フレーム６と伸縮紐１２で顔面に長い形状で連続的に押さえられる部分以外の内側フィルター２は、顔から離れることに制約はないため、内側フィルター２で覆われる口元空間の容積と覆う部分のフィルターの面積は比較的大きくされて、呼吸気が透過する際のフィルター抵抗は相対的に小さくなる。結果、マスク１は、顔との隙間が生じにくくされて呼吸気漏れが少なくされても、息苦しさが緩和される。
【００３１】
弾性変形可能なフレーム６は、顔形状の個人差や装着の仕方に左右されず、鼻掛け部７の基部が変形することで鼻と鼻近傍の頬に当たり、広げられた左右の側部８が必ず左右の頬に当たるようにされる。また、伸縮紐１２は、内側フィルター２の外側の面から外にはみ出さないようにされて、フレーム６と伸縮紐１２が内側フィルター２を外側の面から顔面に連続的に押し当てる。
【００３２】
内側フィルター２は、上部に形成されたスリット状の孔１３をフレーム６の前部突出部１４に嵌め込むことで、高さ方向と左右に位置決めされ、後部５に形成されたスリット状の孔１５をフレーム６の端部９からの後部突出部１６に嵌め込むことで、全体が広げられて支持される。
【００３３】
円弧近似に溶着された縁部３は、下の複数の箇所に切り込み部１７が設けられることで、切り込み部１７の箇所での折り曲げが容易になり、折り曲げられることで内側フィルター２の後部５は顎や頬を覆うことができる間隔に広げられ、内側フィルター２の外側の面から伸縮紐１２で頬から顎に当てられる。
【００３４】
鼻と鼻近傍、頬の前側から側部、および顎での内側フィルター２の隙間を生じにくくし、鼻腔や口周りを覆うことで口元空間を形成するフィルターの面積を大きくすることは、マスク本来の気密性を確保した上で、呼吸し易く、口元の違和感を少なくし、また、眼鏡の曇りも防止する。
【００３５】
マスク１を装着しても、眼鏡の使用を妨げないようにされる。フレーム６は、鼻掛け部７が鼻の形状に沿ったものにされ、また、前部突出部１４の突出量が小さく、フレーム６の前部が頬の前の部分に近接されることで、フレーム６が眼鏡に当たりにくくされる。耳掛け部１１に関しては、耳に掛かる部分が小さい断面積で比較的柔軟にされことで、眼鏡のつるを妨げない。
【００３６】
顔との隙間による呼吸気の漏れは、本発明のマスク１では顔形状の個人差で左右されずに生じにくくされる。それでも、マスク１に必要とされるフレーム６、伸縮紐１２、および内側フィルター２のサイズを区分けすることは現実的である。例えば、男性用サイズ、女性サイズ、子供サイズ、あるいは、大、中、小にマスクサイズが分類されることで、本発明のマスクの呼吸気漏れを生じにくくする効果がさらに大きくなる。
【００３７】
伸縮紐１２には、従来のマスクに用いられている耳紐と同様で、比較的弱い張力でも大きく伸縮できる紐が用いられる。フレーム６と伸縮紐１２で、鼻、頬、そして顎に柔軟な不織布の内側フィルター２を直接に外側面から押し当てるため、伸縮紐１２の相対的に弱い張力でも隙間が生じにくくし、結果、顔面で感じる圧迫感や顎での違和感が緩和される。
【００３８】
図２は、本発明のマスクの実施例１に用いられるフレームの構成を示す。
図２（ａ）は、環状に成形されたフレーム６と耳掛け部１１の非展開の状態を、図２（ｂ）は、展開された状態を示す。フレーム６の左右の端部９から連続する屈曲した形状の耳掛け部１１は、図２（ａ）で示される非展開時の形状では、近接して並列に配置され、全体が薄い平面内に収まる環状にされる。
【００３９】
成形時に、対向する部分の一部に薄い連結部１８を形成することで、フレーム６と耳掛け部１１がばらばらにならず、全体が環状に保たれる。展開する場合には、連結部１８を切る。手で切ることが容易な連結部１８を設けると、製造や流通の過程で取り扱い易くなる。連結部１８を設けないことも当然ながら可能である。
【００４０】
フレーム６と耳掛け部１１は、図２（ａ）における非展開で、相対的に大きい曲率の環状の状態から、図２（ｂ）における展開されて、相対的に小さい曲率の状態にされる。フレーム６の左右の端部９に連結された屈曲形状の耳掛け部１１は、図２（ａ）における全体が薄い環状で、並列に近接配置されて状態から、図２（ｂ）における、ヒンジ部１０で回動されて９０度近く立ち上げられた立体的な状態にされる。
【００４１】
操作し易くするため、ヒンジ部１０で立ち上げられた耳掛け部１１の姿勢は維持される。図２（ａ）で示されるように、回動による固定と開放を可能にするフック部１９とフック固定部２０が、ヒンジ部１０を介して近接対向する耳掛け部１１とフレーム６の部分に形成される。ヒンジ部１０で９０度近く回動されて立ち上げられた耳掛け部１１は、図２（ｂ）で示されるように、フック部１９がフック固定部２０に掛けられ、ヒンジ部１０による戻り弾性力で固定される。
【００４２】
フレーム６の左右の前部と、フレーム６の左右の端部９には、前部突出部１４と後部突出部１６が設けられ、図１で示された、内側フィルター２の上部に形成されたスリット状の孔１３と、後部に設けられたスリット状の孔１５が嵌め込まれ、内側フィルター２が高さ方向に位置決めされ、左右に広げて支持される。
【００４３】
フレーム６の鼻掛け部７の基部近傍と左右の側部８に、内側に開放部を有する凹部２１、２２で形成される鼻近傍支持部２３と側部支持部２４が配置され、伸び紐１２が凹部２１、２２で案内および支持され、伸縮あるいは屈曲自在にされる。鼻近傍支持部２３の一部を変形可能な弓状部２５で形成することで、鼻の側部や頬の前部分に当たった際に変形して馴染むようにされる。
【００４４】
側部支持部２４は、伸縮紐１２が頬から離れないように、フレーム６の左右の側部８から内側に入り込む形状にされる。顔形状の個人差や装着の仕方に係わらず、側部支持部２４は頬に当接する位置に保たれる。
【００４５】
耳掛け部１１は、フレーム６の側部８から連続する内側の曲面から数ミリメートル外側の位置に配置される端部９にヒンジ部１０を介して連結される。装着時に、フレーム６の曲面状の左右の側部８が頬に必ず当たり、耳掛け部１１近傍の角部が頬に当たらないようにされる。
【００４６】
図３は、実施例１に用いられる非展開の状態のフレームと伸び紐を上から観たものである。環状の伸縮紐１２は、非展開のフレーム６の鼻掛け部７の基部近傍の鼻近傍支持部２３と、左右の側部８の側部支持部２４で支持される。伸縮紐１２は、開放部から凹部２１、２２に入れられ、伸縮あるいは屈曲自在にされる。また、伸縮紐１２は、従来のマスクの耳紐と似たものが用いられ、柔軟で鋭角的に折り曲げ可能なため、全体が平たく収められる。
【００４７】
フレーム６が展開されることで、立ち上げられる耳掛け部１１が鼻近傍と耳に掛けられ、また、伸縮紐１２が鼻、頬、および顎に当てられる。展開されるフレーム６の鼻近傍支持部２３の弓状部２５が鼻に掛けられ、フレーム６の前側の一部が頬の前部分に当たる。また、フレーム６は、顔形状の個人差にあまり関係なく、左右の側部支持部２４近傍が頬に当たるようにされる。フレーム６が当たらない顔面の部分には伸縮紐１２が当たり、伸縮紐１２が当たらない部分にフレーム６が当たることで、フレーム６の弾性力と、伸縮紐１２の張力で、鼻から頬、および顎に内側フィルターが連続的に押し当られる。
【００４８】
図４は、本発明のマスクの実施例１に用いられる内側フィルターを示す。
図４（ａ）は、斜め横から内側フィルターを観た図である。２枚の独立した不織布が重ね合わされた内側フィルター２は、溶着された円弧近似の縁部３で閉じられた前部４と、開放されて顔が入れられる後部５を有す構成にされる。２枚の独立した不織布は、それぞれ複数枚の不織布が重ねられたものでもよい。
【００４９】
内側フィルター２の上部にスリット状の孔１３が、後部５にもスリット状の孔１５が設けられる。これらの孔は、必ずしもスリット状でなくてもよい。スリット状の孔１３を挟む内側フィルター２の上部の位置に、窪み部２６または切り込み部が設けられ、部分的に突出した形状にされることで、フレーム６の前部突出部１４に嵌め込む操作を容易にし、内側フィルター２の上部が、欠けることなくフレーム６と伸縮紐１２によって必ず押さえられるようにする。
【００５０】
溶着されて幅を有する円弧近似の縁部３には、下の部分の複数の箇所に切り込み部１７あるいは窪み部が形成される。切り込み部１７が設けられた箇所は、折り曲げ易くされる。内側フィルター２は、展開されて顔に装着される際に、円弧近似の縁部３の下の部分が顎に当たるように押し込まれることで左右に広げられた間隔が大きくされ、頬から顎に当たりやすく易くされる。内側フィルター２は、単に２枚の不織布を重ね、溶着し、外形を切り落とすことで作られるため、製造プロセスが簡易である。
【００５１】
図４（ｂ）は、展開されて縁部３の下の部分が屈曲された内側フィルター２を、斜め横から観た図である。内側フィルター２の上部の中央部は鼻に、左右の上部は前の頬から左右の頬に、さらに、後部５が左右の頬から顎に当てられる。複数の箇所の切り込み部１７が設けられた下の部分が変形されることで、外側の面から伸縮紐の弱い張力でも顎に密着され、顔面に沿う膨らんだ形状にされる。
【００５２】
図５は、顔を省いた装着状態の実施例１のマスクを、斜め横から観たものである。立体的に展開されたフレーム６と耳掛け部１１に伸縮紐１２が掛けられ、内側フィルター２が取り付けられている。内側フィルター２の円弧近似の縁部３の下の部分は、折り曲げられて膨らみ、伸び紐１２の張力で顎に押し当てられる。
【００５３】
環状の伸縮紐１２は、フレーム６の内側方向に幅狭の開口部を有する凹部で形成された左右の鼻近傍支持部２３と側部支持部２４で支持されて伸縮、移動、および、屈曲可能にされ、内側フィルター２の展開に対応して内側フィルター２を外側の面から押さえる位置に配置される。
【００５４】
内側フィルター２は、上部に形成されたスリット状の孔１３と、後部５に形成されたスリット状の孔１５が、フレーム６の左右に設けられた前部突出部１４と、フレーム６の端部の後部突出部１６に嵌め込まれることで位置決めされ、上部の外側面がフレーム６によって押さえるように配置される。
【００５５】
内側フィルター２の溶着された円弧近似の縁部３は、フレーム６の中央の鼻掛け部７より上の位置から顎に相当する位置より下の位置まで延長され、鼻や口を覆う形状にされる。破線で示された縁部３の下の位置が、同じく破線で示される複数の箇所に設けられた切り込み部２７で折り曲げられることで、後部５における２枚の不織布の間隔が広げられ、顎と左右の頬が入るようにされる。
【００５６】
図６は、本発明のマスクの実施例１に透明シートの遮蔽材を配置した構成を示す。
透明シートの遮蔽材２８は、左右に設けられた支持孔２９が、フレーム６の左右の端部９から延長されて設けられた後部突出部１６に差し込まれて支持される。遮蔽材２８は、中央に設けられた支持孔３０に鼻掛け部７が入れ込まれることで、上下方向に位置決めされる。眼の前に遮蔽材２８が配置されることで、飛沫や花粉などが眼に入りにくくされる。
【００５７】
透明シートの遮蔽材２８は、薄く比較的柔軟にされることで、眼鏡の内側でも装着できる。遮蔽材２８は、単に平らな透明なフィルムを打ち抜いたものでよい。あるいは、成形された透明なものを用いてもよい。さらには、透明シートの遮蔽材２８は、眼と対向しない外縁部に凹凸を有するエンボス部が設けられてもよい。
【００５８】
図７は、本発明のマスクの実施例１に透明シートの遮蔽材が設けれ、顔に装着した図を示す。
透明シートの遮蔽材２８は、マスク１のフレーム６の後部突出部１６と鼻掛け部７に嵌め込まれ、薄く柔軟なフィルムでも形状と位置が眼の前で安定して保たれる。遮蔽材２８は、眼の前を広い面積で顔面に近接して配置され、飛沫や花粉などが眼に入るのを防ぐ。枠もない透明シートの遮蔽材２８は外観的な違和感が少ない。また、眼の周辺や上部と下部の少なくとも一部とは隙間を有して配置されるため、油分や汗などによって汚れや曇りが生じにくくされる。
【実施例２】
【００５９】
図８は、本発明のマスクの実施例２を、顔に装着した状態で示す図である。
マスク３１において、呼吸気を濾過させる内側フィルター３２は、柔軟な不織布でプリーツ状に形成される。プリーツ状の内側フィルター３２は、不織布を折り返して重ねられた左右方向に平行な複数の折り返し部３３で構成され、折り返し部３３を広げることで大きな面積に展開される。内側フィルター３２の左右の端辺部３４は溶着で固着され、辺の長さは固定される。
【００６０】
弾性変形可能に樹脂材で成形された眼鏡近似のフレーム３５は、内側フィルター３２を顔との間に挟み、外方向に凸状に突出した中央の鼻掛け部３６とその近傍で鼻および鼻近傍に掛けられ、左右の側部３７で頬に当てられ、さらに、フレーム３５の左右の端部３８からヒンジ部３９を介して回動可能に連結された耳掛け部４０が左右の耳に掛けられることで、支持される。
【００６１】
伸縮紐４１は、展開前には長方形である内側フィルター３２の外面の側で４箇所の端辺部の中間近傍に固着され、菱形近似に配置される。菱形近似の伸縮紐４１の上部が、フレーム３５の鼻掛け部３６近傍の左右の箇所とフレーム３５の左右の側部３７で伸縮自在に支持され、フレーム３５の左右の側部３７から下方向に延伸された円弧状の部分が顎に掛けられる。
【００６２】
フレーム３５の鼻掛け部３６と鼻掛け部３６近傍の伸縮紐４１が、顔の下の位置になるほど前に出る鼻および鼻近傍に掛けられる。また、屈曲した耳掛け部４０の下方向に傾斜した部分が耳に掛けられる。さらに、顎に掛けられた伸縮紐４１の下方向の張力がフレーム３５の左右の側部３７に加わることで、顔形状の個人差や装着の仕方の変化があっても、フレーム３５が前後、左右および上下方向に位置決めされる。
【００６３】
伸縮紐４１が伸張され、下方向の力がフレーム３５に加わることで、弾性変形可能なフレーム３５が鼻近傍と頬の側部に当たり、フレーム３５が当たらない鼻の中央部と頬の前側から側部に到る部分、およびフレーム３５から下の頬と顎は、伸縮紐４１によって当接され、内側フィルター３２と顔の間の隙間が生じにくくされる。結果、呼吸気による眼鏡の曇りも防止される。フレーム３５と伸縮紐４１で顔に押さえられる連続的な部分以外の内側フィルター３２は顔から遊離できる。
【００６４】
弾性変形可能なフレーム３５は、顔形状の個人差や装着の仕方に左右されず、左右方向に広げられ、必ず左右の頬に当たるようにされる。また、伸縮紐４１は、長方形の内側フィルター３２の外側の面における端辺部の中間近傍で固着されることで、装着時には内側フィルター３２の外側の面から外れずに内側フィルター３２を顔面に押し当てる。
【００６５】
内側フィルター３２がフレーム３５と伸縮紐４１で比較的長く押し当てられ、プリーツ状から展開されて前方向に膨らまされることで、鼻腔と口の周りから顎と頬を覆う口元空間と呼吸気が透過するフィルターの面積が大きくされる。呼吸気が透過する際のフィルター抵抗はフィルター面積が大きいほど小さいため、マスク３１と顔の間の隙間が生じにくくされても、息苦しさが緩和される。
【００６６】
マスク３１を装着しても、眼鏡の使用を妨げならないようにされる。フレーム３５に関しては、突出した鼻掛け部３６が鼻の形状に沿ったものにされ、フレーム３５の前部が頬の前の部分に近接されることで、フレーム３５が眼鏡に当たりにくくされる。耳掛け部４０に関しては、耳に掛かる部分が小さい断面積で比較的柔軟にされことで、眼鏡のつるを妨げないようにされる。
【００６７】
伸縮紐４１には、従来のマスクに既に用いられ、伸縮が容易な耳紐が用いられる。フレーム３５と伸び紐４１で鼻、頬、そして顎に柔軟な不織布の内側フィルター３２を外側の面から直接顔に押し当てるため、比較的弱い張力でも顔との隙間を生じにくくされる。また、加えられる張力や弾性力が比較的小さいことで、顔面で感じる圧迫感や、顎に掛けられることによる違和感が緩和される。
【００６８】
図９は、本発明のマスクの実施例２に用いられるフレームの構成を示す。
図９（ａ）は、環状に成形されたフレーム３５と耳掛け部４０の非展開の状態を、図９（ｂ）は、展開された状態を示す図である。フレーム３５における左右の端部３８から連続する屈曲した形状の耳掛け部４０は、図９（ａ）における非展開時には近接して並列に配置され、全体の形状が薄い平面内に収まる環状にされる。
【００６９】
フレーム３５と耳掛け部４０は、図９（ａ）における相対的に大きい曲率の非展開の環状から、図９（ｂ）で示される相対的に小さい曲率に展開された状態にされる。フレーム３５の左右の端部３８に連結された屈曲形状の耳掛け部４０は、図９（ａ）における並列に近接配置されて全体が環状の状態から、図９（ｂ）におけるヒンジ部３９で立体的に立ち上げられた状態にされる。
【００７０】
マスクを扱い易くするため、ヒンジ部３９で立ち上げられた耳掛け部４０の姿勢を維持できるようにする。図９（ａ）で、固定と開放を可能にするフック部４２とフック固定部４３が、ヒンジ部３９を介して対向する耳掛け部４０とフレーム３５の部分に形成される。ヒンジ部３９で９０度近く立ち上げられた耳掛け部４０は、図９（ｂ）で示されるように、フック部４２がフック固定部４３に掛けられ、ヒンジ部３９の弾性力で固定される。
【００７１】
フレーム３５の鼻掛け部３６の基部近傍とフレーム３５の左右の側部３７に、内側に開放部を有する凹部４４、４５で形成される鼻近傍支持部４６と側部支持部４７が配置され、伸縮紐が凹部４４、４５で案内され、伸縮あるいは屈曲自在にされる。鼻近傍支持部４６の一部を変形可能な弓状部４８で形成することにより、鼻の側部や頬の前部に当たった際に変形して馴染むようにされる。
【００７２】
側部支持部４７は、伸び紐が頬から離れないように、フレーム３５の左右の側部３７から内側に入り込む形状にされる。顔形状の個人差や装着の仕方に係わらず、側部支持部４７は頬に当接する位置に保たれる。
【００７３】
耳掛け部４０は、フレーム３５の側部３７から連続する内側の曲面から数ミリメートル外側に位置する端部３８にヒンジ部３９を介して連結される。装着時に、フレーム３５の曲面状の左右の側部３７が頬に必ず当たり、耳掛け部４０近傍の角部が頬に当たらないようにされる。
【００７４】
図１０は、本発明のマスクの実施例２に用いられる内側フィルターを示す。内側フィルター３２は、従来のマスクに用いられている不織布がプリーツ状にされたフィルターと同じように作られる。長方形の内側フィルター３２は、左右方向に平行に折り重ねられた複数の折返し部３３でプリーツ状にされ、左右の端辺部３４が溶着されて折り返し部３３は固定される。
【００７５】
伸縮紐４１は、長方形の内側フィルター３２の外側の面における各端辺部の中間近傍に溶着などで固着され、菱形近似に配置される。内側フィルター３２が展開されて鼻や口周りを覆うように装着されても、伸縮紐４１は内側フィルター３２の外側の面から外にはみ出ずに内側フィルター３２を顔に押し当てる。
【００７６】
また、内側フィルター３２に柔軟な不織布が用いられることで、伸縮紐４１の比較的小さい張力でも内側フィルター３２と顔の間に隙間が生じにくくされる。従来のマスクで用いられている比較的小さい張力でも大きい伸びる耳紐が伸縮紐４１に用いられることで、菱形近似に配置された伸縮紐４１が、装着時に、内側フィルター３２から外れない程度に伸ばされることなく内側フィルター３２で隙間が生じにくくできる。顎に掛けられた伸び紐４１の張力も小さくされ、苦しくなくなる。
【００７７】
図１１は、本発明のマスクの実施例２を、非展開の状態と、展開された状態で示すものである。図１１（ａ）は、薄く環状に成形されたフレーム３５と耳掛け部４０が、内側フィルター３２の外側の面に固着された菱形近似の伸縮紐４１の上半分の左右に掛けられた状態を示す。伸縮紐４１が固着された内側フィルター３２の外側の面は、顔へ装着される時には、いずれも外方向である前方向と、両側の頬から左右方向、および顎から下方向を向く。
【００７８】
フレーム３５の内側方向に幅狭の開口部を有する凹部で形成された鼻近傍支持部４６と側部支持部４７のそれぞれ左右の箇所が、伸縮紐４１の上部の左右の部分にそれぞれ掛けられ、内側フィルター３２の移動や展開に応じて、伸び紐４１が伸縮し、鼻近傍支持部４６と側部支持部４７の部分で移動および屈曲可能にされる。
【００７９】
図１１（ｂ）は、図１１（ａ）のように非展開のフレーム３５が掛けられた状態から、フレーム３５と内側フィルター３２が展開されて伸縮紐４１が伸ばされて顔へ装着される前の状態を前方のやや下方向から観たものである。非展開時には長方形であった内側フィルター３２が、下方向に引かれて大きい面積に展開され、前方向に膨らまされた状態にされる。
【００８０】
菱形近似に固着された伸縮紐４１の上の左右の部分は、内側フィルター３２上の中間近傍における固着部分の近くがフレーム３５の鼻近傍支持部４６で、また、左右の端辺部３４の中間近傍が左右の側部支持部４７において伸縮、移動可能に支持される。また、左右の側部支持部で下方向に曲げられた伸縮紐４１は、下方向に移動されて展開された内側フィルター３２の外側の面から外にはみ出さない。
【００８１】
図１２は、本発明のマスクの実施例２に遮蔽材を設けて顔に装着した図を示す。透明シートの遮蔽材４９は、左右に設けられた支持孔５０がフレーム３５の後部突出部５１に嵌め込まれることで全体が支持される。また、遮蔽材４９の中央に形成された支持孔５２にフレーム３５の鼻掛け部３６が差し込まれることで上下方向に位置決めされる。眼の前に透明な遮蔽材４９が配置されることで、飛沫や花粉などが眼に入るのを防止する。
【００８２】
透明シートの遮蔽材４９は、目立たず、外観的な違和感が少ない。また、遮蔽材４９が鼻掛け部３６で保持されて眼や顔の多くの部分と間隔を有すことで、皮脂や汗による汚れは曇りが少なくされる。
【実施例３】
【００８３】
図１３は、本発明のマスクの実施例３を顔に装着した状態を示すものである。
マスク５３において、呼吸気を濾過させるフィルターは、プリーツ状の不織布を用いた２層分離のフィルター５４で形成される。内側に隠されて配置されるために破線で示される内側フィルター５５と、外側に配置される外側フィルター５６が、それぞれの上下の端辺部５７、５８で閉じられる。
【００８４】
フレーム５９と伸縮紐６０は、２層分離のフィルター５４の内に配置される部分は破線で示される。フレーム５９は、鼻掛け部６１や近傍の伸び紐６０で鼻に掛けられ、フレーム５９の左右の端部６２に連結された屈曲形状の耳掛け部６３によって左右の耳に掛けられる。
【００８５】
鼻腔と口に直接対向する内側フィルター５５と、フレーム５９および伸縮紐６０を覆う外側フィルター５６は、溶着で固定されたそれぞれの左右の端辺部以外の部分でプリーツ状から展開されて前方向に膨らまされ、フレーム５９と伸縮紐６０が内側フィルター５５を外側から直接押さえることにより、鼻腔と口の周り、および頬、顎を覆う閉じた口元空間が内側フィルター５５により形成される。
【００８６】
さらに、２層分離のフィルター５４の内側フィルター５５と外側フィルター５６の間に間隔が設けられることによる予備空間が形成され、この予備空間にフレーム５９と耳掛け部６３が通された後、左右の端辺部が閉じられることで閉じた空間にされる。呼吸気は、口元空間と予備空間、および外気の間を流れ、内側フィルター５５と外側フィルター５６を複数回透過する。
【００８７】
外気からの吸気は、吸引時に、主に外側フィルター５６と、口元空間を形成しない部分の内側フィルター５５を通り、微小な飛沫や粒子の多くが濾過される。濾過されずに通過した飛沫や粒子は、予備空間を形成する２層分離のフィルターの内側で付着され、さらに、内側フィルター５５で濾過された後、吸気は鼻腔や口に到る。これらの過程を経ることで、外気からの微小な飛沫や粒子は効率よく濾過される。
【００８８】
呼吸気が２層分離のフィルター５４の広いフィルター面積で濾過されることにより、それぞれのフィルターの単位面積当たりの抵抗が従来のマスクのフィルターに較べて相対的に低くされ、全体のフィルター抵抗が低減されことで呼吸時の息苦しさが緩和される。
【００８９】
図１４は、本発明のマスクの実施例３で用いられる２層分離のフィルター５４を上下に展開した図を示す。内側フィルターと外側フィルターに相当する上の部分と下の部分の中間に位置するＡ−Ａのラインに沿って曲げられる部分は閉じた上の端辺部にされ、柔軟に変形できる。上の端辺部で曲げられて重ね合わされる下の部分は、下の端辺部にされる。下の端辺部は、あらかじめ固着することで閉じられる。
【産業上の利用可能性】
【００９０】
漏れが微小で、息苦しさ、および圧迫感や痛感の少ない使い捨てマスクが可能になる。
【００９１】
飛沫や花粉などから眼を保護する構成が簡単になる。
【符号の説明】
【００９２】
１、３１、５３    マスク
２、３２、５５    内側フィルター
３    縁部
４    前部
５    後部
６、３５、５９    フレーム
７、３６、６１    鼻掛け部
８、３７    側部
９、３８、６２    端部
１０、３９    ヒンジ部
１１、４０、６３    耳掛け部
１２、４１、６０    伸縮紐
１３、１５    スリット状の孔
１４    前部突出部
１６、５１    後部突出部
１８    連結部
１９、４２    フック部
２０、４３    フック固定部
２１、２２、４４、４５    凹部
２３、４６    鼻近傍支持部
２４、４７    側部支持部、
２５、４８    弓状部
２６    窪み部
２８、４９    遮蔽材
２９、３０、５０、５２    支持孔
３３    折り返し部
４３    連結部
５４    ２層分離のフィルター
５６    外側フィルター
３４、５７、５８    端辺部
【図１】
2016093318.tif 000003
【図２】
2016093318.tif 000004
【図３】
2016093318.tif 000005
【図４】
2016093318.tif 000006
【図５】
2016093318.tif 000007
【図６】
2016093318.tif 000008
【図７】
2016093318.tif 000009
【図８】
2016093318.tif 000010
【図９】
2016093318.tif 000011
【図１０】
2016093318.tif 000012
【図１１】
2016093318.tif 000013
【図１２】
2016093318.tif 000014
【図１３】
2016093318.tif 000015
【図１４】
2016093318.tif 000016